(57)【要約】【課題】  駆動動力が小さく、加湿能力を最大限に発揮できる加湿装置を提供する。【解決手段】  本体ケース１とファン２と気化式加湿エレメント３と水タンク４とを備えた加湿装置において、前記気化式加湿エレメント３を、前記水タンク４から供給される水を貯留する水槽２２と前記ファン２の吐出口１０の下方に位置して前記水槽２２内に回転自在に枢支される回転加湿フィルタ２３とによって構成するとともに、前記回転加湿フィルタ２３の一部が、前記水槽２２内の貯留水に浸漬され且つ前記ファン２から吹き出される室内空気Ｗ１の流れの中心が前記回転加湿フィルタ２３の回転中心より外周側を通過するように構成して、回転加湿フィルタ２３を駆動させるための動力を低減できるとともに、加湿能力を最大限に発揮することができるようにしている。【選択図】        図４
2006329531.tif 000002
【特許請求の範囲】
【請求項１】
室内空気を吸い込む空気吸込口と加湿空気を吹き出す空気吹出口とを有する本体ケースと、該本体ケース内に配設したファンと、該ファンの風路内に配設した気化式加湿エレメントと、該気化式加湿エレメントに水を供給する水タンクとを備えた加湿装置であって、前記気化式加湿エレメントを、前記水タンクから供給される水を貯留する水槽と前記ファンの吐出口の下方に位置して前記水槽内に回転自在に枢支される回転加湿フィルタとによって構成するとともに、前記回転加湿フィルタの一部が、前記水槽内の貯留水に浸漬され且つ前記ファンから吹き出される室内空気の流れの中心が前記回転加湿フィルタの回転中心より外周側を通過するように構成したことを特徴とする加湿装置。
【請求項２】
前記回転加湿フィルタの回転方向を、前記ファンからの室内空気を迎える方向としたことを特徴とする請求項１記載の加湿装置。
【請求項３】
前記空気吹出口を、前記本体ケースにおける前記水タンクの反対側上部に形成する一方、前記ファンを、吸気口と吐出口とを有するファンカバーと該ファンカバー内に配設された羽根車とにより構成するとともに、前記回転加湿フィルタの駆動軸を、前記水槽において前記空気吹出口の下方に位置する部分に設け且つ前記空気吹出口へ通ずる加湿空気通路を、前記ファンカバーと前記本体ケースとの間に形成したことを特徴とする請求項１および２のいずれか一項記載の加湿装置。
【請求項４】
前記空気吸込口を、前記本体ケースの背面に形成し、前記ファンを、前記空気吸込口の前方側に配設し且つ前記回転加湿フィルタを、前記本体ケースの左右方向に向けて配設するとともに、前記回転加湿フィルタを通過した加湿空気が前記回転加湿フィルタの軸方向から前記空気吹出口へ向かって流れるように構成したことを特徴とする請求項１、２および３のいずれか一項記載の加湿装置。
【請求項５】
前記回転加湿フィルタを、駆動源であるフィルタモータに連結された回転軸と、該回転軸に対して分解可能に枢支された多数のプレートとにより構成したことを特徴とする請求項１、２、３および４のいずれか一項記載の加湿装置。
【請求項６】
前記ファンの吐出口の下方には、該ファンから吹き出される室内空気を加熱するための加熱源を配設したことを特徴とする請求項１、２、３、４および５のいずれか一項記載の加湿装置。
【発明の詳細な説明】
【技術分野】
【０００１】
本願発明は、加湿装置に関し、さらに詳しくは、回転加湿フィルタにより構成された気化式加湿エレメントを備えた加湿装置に関するものである。
【背景技術】
【０００２】
近年、冬季において暖房装置使用中の室内を適湿環境に保持するために加湿装置が使用されている。
【０００３】
この種の加湿装置として、吸水性の良いシート状の素材をプリーツ折りした横長方形の回転加湿フィルタからなる気化式加湿エレメントを備えたものが従来から知られている（特許文献１参照）。
【０００４】
【特許文献１】特開２００５−３７０１１号公報。
【発明の開示】
【発明が解決しようとする課題】
【０００５】
ところが、上記特許文献１に開示されている加湿装置の場合、回転加湿フィルタが、吸水性の良い素材からなっているため、回転加湿フィルタの全面積に吸水させるには、回転加湿フィルタの回転中心付近まで水に浸漬させる必要があり、回転加湿フィルタを回転駆動させる動力が大きくならざるを得ないという不具合が生ずるおそれがある。そこで、回転加湿フィルタの一部を水に浸漬させる構造とすると、吸水面積が限定されることとなり、加湿能力が低下するおそれがある。
【０００６】
本願発明は、上記の点に鑑みてなされたもので、駆動動力が小さく、加湿能力を最大限に発揮できる加湿装置を提供することを目的とするものである。
【課題を解決するための手段】
【０００７】
本願発明では、上記課題を解決するための第１の手段として、室内空気を吸い込む空気吸込口と加湿空気を吹き出す空気吹出口とを有する本体ケースと、該本体ケース内に配設したファンと、該ファンの風路内に配設した気化式加湿エレメントと、該気化式加湿エレメントに水を供給する水タンクとを備えた加湿装置において、前記気化式加湿エレメントを、前記水タンクから供給される水を貯留する水槽と前記ファンの吐出口の下方に位置して前記水槽内に回転自在に枢支される回転加湿フィルタとによって構成するとともに、前記回転加湿フィルタの一部が、前記水槽内の貯留水に浸漬され且つ前記ファンから吹き出される室内空気の流れの中心が前記回転加湿フィルタの回転中心より外周側を通過するように構成している。
【０００８】
上記のように構成したことにより、回転加湿フィルタの一部が水槽内の貯留水に浸漬されるが、回転により貯留水から露出している部分も水に濡れることとなる。この状態の回転加湿フィルタの回転中心より外周側をファンから吹き出された室内空気が通過する過程において加湿がなされることとなる。従って、回転加湿フィルタを駆動させるための動力を低減できるとともに、加湿能力を最大限に発揮することができる。
【０００９】
本願発明では、さらに、上記課題を解決するための第２の手段として、上記第１の手段を備えた加湿装置において、前記回転加湿フィルタの回転方向を、前記ファンからの室内空気を迎える方向とすることもでき、そのように構成した場合、ファンから吹き出される室内空気が、水槽の貯留水にから出た直後の回転加湿フィルタに接触することとなり、室内空気への加湿効率が向上する。
【００１０】
本願発明では、さらに、上記課題を解決するための第３の手段として、上記第１又は第２の手段を備えた加湿装置において、前記空気吹出口を、前記本体ケースにおける前記水タンクの反対側上部に形成する一方、前記ファンを、吸気口と吐出口とを有するファンカバーと該ファンカバー内に配設された羽根車とにより構成するとともに、前記回転加湿フィルタの駆動軸を、前記水槽において前記空気吹出口の下方に位置する部分に設け且つ前記空気吹出口へ通ずる加湿空気通路を、前記ファンカバーと前記本体ケースとの間に形成することもでき、そのように構成した場合、気化式加湿エレメントを駆動源から分離して本体ケースから容易に取り外すことができるとともに、ファンの吐出口から吹き出される室内空気は、回転加湿フィルタを通過して加湿された後、ファンカバーと本体ケースとの間に形成された加湿空気通路を通って空気吹出口から室内へ吹き出されることなり、加湿空気のスムーズな流れを確保することができる。
【００１１】
本願発明では、さらに、上記課題を解決するための第４の手段として、上記第１、第２又は第３の手段を備えた加湿装置において、前記空気吸込口を、前記本体ケースの背面に形成し、前記ファンを、前記空気吸込口の前方側に配設し且つ前記回転加湿フィルタを、前記本体ケースの左右方向に向けて配設するとともに、前記回転加湿フィルタを通過した加湿空気が前記回転加湿フィルタの軸方向から前記空気吹出口へ向かって流れるように構成することもでき、そのように構成した場合、ファンの駆動により本体ケースの空気吸込口から吸い込まれた室内空気は、ファンの吐出口から下向きに吐出されて、回転加湿フィルタにおいて加湿され、得られた加湿空気は、回転加湿フィルタの軸方向から上向きに空気吹出口へ導かれることとなり、本体ケース内における空気の流れ全体をスムーズなものとすることができる。
【００１２】
本願発明では、さらに、上記課題を解決するための第５の手段として、上記第１、第２、第３又は第４の手段を備えた加湿装置において、前記回転加湿フィルタを、駆動源であるフィルタモータに連結された回転軸と、該回転軸に対して分解可能に枢支された多数のプレートとにより構成することもでき、そのように構成した場合、回転加湿フィルタを回転軸と多数のプレートとに分解することが可能となり、お手入れを簡単に行うことができる。
【００１３】
本願発明では、さらに、上記課題を解決するための第６の手段として、上記第１、第２、第３、第４又は第５の手段を備えた加湿装置において、前記ファンの吐出口の下方に、該ファンから吹き出される室内空気を加熱するための加熱源を配設することもでき、そのように構成した場合、ファンから吹き出される室内空気が加熱源によって加熱された後に回転加湿フィルタへ供給されることとなり、回転加湿フィルタに付着した水の蒸発が促進され、加湿効率が向上する。
【発明の効果】
【００１４】
本願発明の第１の手段によれば、室内空気を吸い込む空気吸込口と加湿空気を吹き出す空気吹出口とを有する本体ケースと、該本体ケース内に配設したファンと、該ファンの風路内に配設した気化式加湿エレメントと、該気化式加湿エレメントに水を供給する水タンクとを備えた加湿装置において、前記気化式加湿エレメントを、前記水タンクから供給される水を貯留する水槽と前記ファンの吐出口の下方に位置して前記水槽内に回転自在に枢支される回転加湿フィルタとによって構成するとともに、前記回転加湿フィルタの一部が、前記水槽内の貯留水に浸漬され且つ前記ファンから吹き出される室内空気の流れの中心が前記回転加湿フィルタの回転中心より外周側を通過するように構成して、回転加湿フィルタの一部が水槽内の貯留水に浸漬され、回転により貯留水から露出している部分も水に濡れるが、この状態の回転加湿フィルタの回転中心より外周側をファンから吹き出された室内空気が通過する過程において加湿がなされるようにしたので、回転加湿フィルタを駆動させるための動力を低減できるとともに、加湿能力を最大限に発揮することができるという効果がある。
【００１５】
本願発明の第２の手段におけるように、上記第１の手段を備えた加湿装置において、前記回転加湿フィルタの回転方向を、前記ファンからの室内空気を迎える方向とすることもでき、そのように構成した場合、ファンから吹き出される室内空気が、水槽の貯留水にから出た直後の回転加湿フィルタに接触することとなり、室内空気への加湿効率が向上する。
【００１６】
本願発明の第３の手段におけるように、上記第１又は第２の手段を備えた加湿装置において、前記空気吹出口を、前記本体ケースにおける前記水タンクの反対側上部に形成する一方、前記ファンを、吸気口と吐出口とを有するファンカバーと該ファンカバー内に配設された羽根車とにより構成するとともに、前記回転加湿フィルタの駆動軸を、前記水槽において前記空気吹出口の下方に位置する部分に設け且つ前記空気吹出口へ通ずる加湿空気通路を、前記ファンカバーと前記本体ケースとの間に形成することもでき、そのように構成した場合、気化式加湿エレメントを駆動源から分離して本体ケースから容易に取り外すことができるとともに、ファンの吐出口から吹き出される室内空気は、回転加湿フィルタを通過して加湿された後、ファンカバーと本体ケースとの間に形成された加湿空気通路を通って空気吹出口から室内へ吹き出されることなり、加湿空気のスムーズな流れを確保することができる。
【００１７】
本願発明の第４の手段におけるように、上記第１、第２又は第３の手段を備えた加湿装置において、前記空気吸込口を、前記本体ケースの背面に形成し、前記ファンを、前記空気吸込口の前方側に配設し且つ前記回転加湿フィルタを、前記本体ケースの左右方向に向けて配設するとともに、前記回転加湿フィルタを通過した加湿空気が前記回転加湿フィルタの軸方向から前記空気吹出口へ向かって流れるように構成することもでき、そのように構成した場合、ファンの駆動により本体ケースの空気吸込口から吸い込まれた室内空気は、ファンの吐出口から下向きに吐出されて、回転加湿フィルタにおいて加湿され、得られた加湿空気は、回転加湿フィルタの軸方向から上向きに空気吹出口へ導かれることとなり、本体ケース内における空気の流れ全体をスムーズなものとすることができる。
【００１８】
本願発明の第５の手段におけるように、上記第１、第２、第３又は第４の手段を備えた加湿装置において、前記回転加湿フィルタを、駆動源であるフィルタモータに連結された回転軸と、該回転軸に対して分解可能に枢支された多数のプレートとにより構成することもでき、そのように構成した場合、回転加湿フィルタを回転軸と多数のプレートとに分解することが可能となり、お手入れを簡単に行うことができる。
【００１９】
本願発明の第６の手段におけるように、上記第１、第２、第３、第４又は第５の手段を備えた加湿装置において、前記ファンの吐出口の下方に、該ファンから吹き出される室内空気を加熱するための加熱源を配設することもでき、そのように構成した場合、ファンから吹き出される室内空気が加熱源によって加熱された後に回転加湿フィルタへ供給されることとなり、回転加湿フィルタに付着した水の蒸発が促進され、加湿効率が向上する。
【発明を実施するための最良の形態】
【００２０】
以下、添付の図面を参照して、本願発明の好適な実施の形態について詳述する。
【００２１】
この加湿装置は、図１ないし図４に示すように、室内空気Ｗ1を吸い込む空気吸込口５と加湿空気Ｗ2を吹き出す空気吹出口６とを有する本体ケース１と、該本体ケース１内に配設したファン２と、該ファン２の風路内に配設した気化式加湿エレメント３と、該気化式加湿エレメント３に水を供給する水タンク４とを備えて構成されている。
【００２２】
前記空気吸込口５は、前記本体ケース１における背面１の上部に形成されており、前記空気吹出口６は、前記本体ケース１の上面一側に形成されている。
【００２３】
前記ファン２は、前記空気吸込口５の前方側に配設されており、前記空気吸込口５と対向する吸気口９と下向きとされた吐出口１０とを有するスクロール形状のファンカバー７と該ファンカバー７内に配設された前進翼形状の羽根車８とにより構成されている。符号１１は前記羽根車８を回転駆動させるファンモータであり、該ファンモータ１１は、前記空気吸込口５からファンカバー７の吸気口９との間に後述する加湿空気通路３８と隔壁１３により区画形成された吸気通路１２内にあって前記ファンカバー７に取り付けられている。
【００２４】
前記ファン２におけるファンカバー７の吐出口１０の下方には、該ファン２から吹き出される室内空気Ｗ1を加熱するための加熱源として作用するヒータユニット１４が配設されている。該ヒータユニット１４は、図５に示すように、矩形形状の箱型のヒータケース１５と、該ヒータケース１５内に設けた直交桟１６に対して略菱形形状に複数層が重合するように巻き付けられ電熱線１７とによって構成されており、前記ヒータケース１５の底面には、多数の空気流通穴１８，１８・・が形成されている（図４参照）。符号１９はファン２から吹き出される室内空気Ｗ1をヒータケース１５内に誘導する作用と前記室内空気Ｗ1がヒータユニット１４をバイパスするのを防止するためのリブである。このようにすると、ファン２から吹き出された室内空気Ｗ1と電熱線１７との接触効率が向上し、効率的な加熱を行うことができる。
【００２５】
前記ヒータユニット１４の背面側には、ファン２から吹き出される室内空気Ｗ1の一部がバイパスするバイパス通路２０が設けられており、該バイパス通路２には、室温検知用とヒータケース１５の過昇温検知用とに供される温度センサー２１が設けられている。このようにすると、室温検知と過昇温検知とを一つのセンサーで行うことができることとなり、構造簡略化を図ることができる。
【００２６】
前記気化式加湿エレメント３は、前記ヒータユニット１４の下方位置であって前記ファン２の風路内に位置して配設されており、前記水タンク４から供給される水を貯留するとともに前記本体ケース１に対して前記空気吹出口６の反対側から引き出し自在とされた水槽２２と該水槽２２内に回転自在に枢支される回転加湿フィルタ２３とによって構成されている。
【００２７】
前記回転加湿フィルタ２３は、駆動源であるフィルタモータ２６に減速機構２７を介して連結された回転軸２４と、該回転軸２４に対して分解可能に枢支された多数の合成樹脂製（例えば、プロピロピレン製）のプレート２５，２５・・とにより構成されている（図６参照）。なお、前記プレート２５は、合成樹脂製のものに限定されず、金属等からなるものであってもよい。前記減速機構２７は、フィルタモータ２６により回転駆動される主動側ギヤ（即ち、小径ギヤ）２７ａと該主動側ギヤ２７ａと噛合する従動側ギヤ２７ｂとからなっている。このようにすると、回転加湿フィルタ２３を、回転軸２４と多数のプレート２５，２５・・とに分解することが可能となり、お手入れを簡単に行うことができる。
【００２８】
前記各プレート２５の外周縁部（即ち、軸心２５ａの近傍を除く部分）における表裏両面には、回転方向Ｍに凹となる４個の半円弧形状のリブ２８，２８・・が周方向等間隔（即ち、９０°間隔）で形成されている。該リブ２８，２８・・は、プレート２５の回転に伴って水槽２２内に貯留された水を汲み上げるとともにプレート２５，２５・・相互間に風路を形成するものであり、その形状および個数は、本実施の形態におけるものに限定されない。なお、前記プレート２５，２５・・のうち両端に位置するプレート２５Ａ，２５Ｂには、前記リブ２８，２８・・は形成されない。
【００２９】
また、前記各プレート２５の軸心２５ａには、表裏両面のリブ２８，２８・・の高さと同高の４個の軸受片２９，２９・・が周方向等間隔（即ち、９０°間隔）で取り付けられており、該軸受片２９，２９・・の間には、４個の凹部３０，３０・・が形成されることとなっている（図７参照）。このようにすると、プレート２５，２５・・は、外周縁部に位置するリブ２８，２８・・と軸心部に位置する軸受片２９，２９・・とによって互いに当接状態を保持されることとなり、回転駆動時にガタ付きが生ずるということがなくなる。
【００３０】
一方、前記回転軸２４には、図８に示すように、一端側に前記減速機構２７を構成する従動側ギヤ（即ち、大径ギヤ）２７ｂを固定（例えば、ビス止め）する駆動軸２４ａが形成されている。また、前記回転軸２４の外周には、前記プレート２５の軸心２５ａに設けられた軸受片２９，２９・・間の凹部３０，３０・・を嵌挿するための軸方向に延びる４個の突条３１，３１・・  が形成されている。このようにすると、回転加湿フィルタ２３の回転駆動時にプレート２５，２５・・が回転軸２４に対して空回りすることがなくなる。なお、前記プレート２５，２５・・は、回転軸２４から突条３１，３１・・に沿って抜き出すことが可能となっている。
【００３１】
そして、前記回転加湿フィルタ２３の回転軸２４における駆動軸２４ａは、前記水槽２２において前記空気吹出口６の下方に位置する部分（即ち、水槽２２の引き出し方向に関して反対側）に設けられている。つまり、前記回転軸２４の一端（即ち、駆動軸２４ａ側端部）は、前記水槽２２における引き出し方奥側の側壁２２ａに形成された上部が開放された切欠形状の軸受部３２（図２参照）に対して回動自在に枢支される一方、前記回転軸２４の他端（即ち、反駆動軸側端部）は、前記水槽２２における引き出し方向手前側の側壁２２ｂの内面に形成されたＵ字状の溝３３（図４参照）に対して回動自在に枢支されているのである。このようにすると、気化式加湿エレメント３を駆動源であるフィルタモータ２６から分離して本体ケース１から容易に取り外すことができるとともに、水槽２２から回転加湿フィルタ２３を容易に離脱させることもできる。
【００３２】
前記水槽２２の引き出し方向側には、前記水タンク４が着脱自在にセットされるとともに該水タンク４から出る水を一時的に貯留する貯水部３４が一体に設けられている。前記水タンク４は、前記貯水部３４に対して倒立状態でセットされることとなっており、水タンク４の給水口４ａには、水タンク４の前記貯水部３４へのセット時にのみ開弁する開閉弁３５が設けられている。符号３６は貯水部３４内に配置された水タンク４が空になったことを検知するためのフロートスイッチである。このようにすると、本体ケース１に対して気化式加湿エレメント３と水タンク４とが一体的に引き出し可能となるのである。
【００３３】
また、この貯水部３４と前記水槽２２とは、該水槽２２の引き出し方向手前側の側壁２２ｂには、貯水部３４と水槽２２とを連通させる連通穴３７が形成されている。従って、貯水部３４内と水槽２２内とは、同一の水位Ｌとされることとなっている。該水位Ｌは、前記回転加湿フィルタ２３における各プレート２５に設けられたリブ２８，２８・・のうち下端に位置するリブ２８の上端が浸漬される程度とされる（図４参照）。つまり、前記回転加湿フィルタ２３の一部は、前記水槽２２内の貯留水に浸漬されており、前記ファン２から吹き出される室内空気Ｗ1の流れの中心は、前記回転加湿フィルタ２３の回転中心より外周側を通過するように構成されているのである。このようにすると、各プレート２５における軸心２５ａの周りにできるだけ大きな平面部２５ｂが形成されることとなり、室内空気Ｗ1の流れがスムーズになる。なお、前記平面部２５ｂは、水に浸漬されないが、プレート２５の回転に伴って、リブ２８，２８・・が上方に移動する過程において、リブ２８，２８・・に汲み上げられた水がこぼれて、前記平面部２５ｂを濡らすこととなるので、プレート２５において水槽２２内の貯留水に浸漬されていない面全体が加湿用として供されることとなり、加湿効率が大幅に向上する。
【００３４】
さらに、前記回転加湿フィルタ２３の回転方向Ｍは、前記ファン２から吹き出される室内空気Ｗ1を迎える方向とされている。このようにすると、ファン２から吹き出される室内空気Ｗ1が、水槽２の貯留水にから出た直後の回転加湿フィルタ２３に接触することとなり、室内空気Ｗ1への加湿効率が向上するし、回転加湿フィルタ２３における圧力損失をできるだけ小さくすることもできる（ファン２から吹き出される室内空気Ｗ1が空気吹出口６側へかき出される）。また、前記リブ２８，２８・・は、加湿空気Ｗ2が流れる部位においては下向きとなる。従って、水滴が加湿空気Ｗ2に乗って空気吹出口６や他の個所へ飛び散るのを防止することもできる。
【００３５】
さらに、前記ファンカバー７と前記本体ケース１との間には、前記空気吹出口６へ通ずる加湿空気通路３８が形成されている。
【００３６】
図面中、符号３９はファン２の吐出口１０と本体ケース１の外側とをシールするシール用リブ、４０はファン２から吹き出された室内空気Ｗ1と回転加湿フィルタ２３を通過して加湿された加湿空気Ｗ2との流路をシールするシール用リブ、４１は本体ケース１の上面に設けられた操作パネルである。
【００３７】
上記のように構成された加湿装置においては、次のような作用効果が得られる。
【００３８】
まず、水タンク４を貯水部３４にセットした後、ファンモータ１１およびフィルタモータ２６を駆動させて、ファン２を駆動させ且つ回転加湿フィルタ２３を低速回転させるとともに、電熱線１７へ通電してヒータユニット１４を作動させる。すると、本体ケース１の空気吸込口５から吸い込まれた室内空気Ｗ1は、ファン２の吐出口１０から吹き出される。この室内空気Ｗ1は、ヒータユニット１４を通過する過程で適当な温度に加熱された後、回転加湿フィルタ２３の回転中心より外周側へ供給される。
【００３９】
一方、低速回転されている回転加湿フィルタ２３の各プレート２５の一部は、水槽２２内の貯留水に浸漬され、前述したように、回転により貯留水から露出している部分も水に濡れている。
【００４０】
この状態の回転加湿フィルタ２３の回転中心より外周側をファン２から吹き出された室内空気Ｗ1が通過する過程において加湿がなされる。従って、回転加湿フィルタ２３を駆動させるための動力を低減できるとともに、加湿能力を最大限に発揮することができる。上記したように、ファン２から吹き出される室内空気Ｗ1がヒータユニット１４によって適当な温度に加熱された後に回転加湿フィルタ２３へ供給されることとなっているので、回転加湿フィルタ２３に付着した水の蒸発が促進され、加湿効率が向上する。
【００４１】
上記のようにして得られた加湿空気Ｗ2は、回転加湿フィルタ２３の軸方向に流れ、ファンカバー７と本体ケース１との間に形成された加湿空気通路３８を通って空気吹出口６から室内へ吹き出され、室内を適湿環境に保持する。従って、本体ケース１内における空気の流れ全体をスムーズなものとすることができる。
【００４２】
本願発明は、上記各実施の形態に限定されるものではなく、発明の要旨を逸脱しない範囲において適宜設計変更可能なことは勿論である。
【図面の簡単な説明】
【００４３】
【図１】本願発明の実施の形態にかかる加湿装置の斜視図である。
【図２】本願発明の実施の形態にかかる加湿装置の縦断正面図である。
【図３】本願発明の実施の形態にかかる加湿装置の水タンク部分を省略した縦断背面図である。
【図４】本願発明の実施の形態にかかる加湿装置の縦断側面図である。
【図５】本願発明の実施の形態にかかる加湿装置におけるヒータユニットの拡大斜視図である。
【図６】本願発明の実施の形態にかかる加湿装置における回転加湿フィルタの拡大斜視図である。
【図７】本願発明の実施の形態にかかる加湿装置における回転加湿フィルタを構成するプレートの拡大斜視図である。
【図８】本願発明の実施の形態にかかる加湿装置における回転加湿フィルタを構成する回転軸の拡大斜視図である。
【符号の説明】
【００４４】
１は本体ケース
２はファン
３は気化式加湿エレメント
４は水タンク
５は空気吸込口
６は空気吹出口
７はファンカバー
８は羽根車
９は吸気口
１０は吐出口
１４は加熱源（ヒータユニット）
２２は水槽
２３は回転加湿フィルタ
２４は回転軸
２４ａは駆動軸
２５はプレート
２６は駆動源（フィルタモータ）
３８は加湿空気通路
Ｍは回転方向
Ｗ1は室内空気
Ｗ2は加湿空気
【図１】
2006329531.tif 000003
【図２】
2006329531.tif 000004
【図３】
2006329531.tif 000005
【図４】
2006329531.tif 000006
【図５】
2006329531.tif 000007
【図６】
2006329531.tif 000008
【図７】
2006329531.tif 000009
【図８】
2006329531.tif 000010